(57)【要約】  認証処理装置１０は、感圧シート２０上で筆記による署名が行なわれた場合に、感圧シート２０が出力する、押圧された位置と当該位置にかかった圧力とを特定する信号を取得する信号取得部１１と、取得された信号に基づいて、押圧された位置を特定し、筆記の開始から終了までにおいて、特定した押圧された位置の移動速度と、特定した押圧された位置にかかった圧力とを、少なくとも検出する検出部１２と、検出された移動速度及び圧力を用いて、感圧シート上で筆記された署名が、予め登録された署名と一致しているかどうかを判定し、一致している場合に、認証を許可する認証処理部１３とを備えている。
2018155107.tif 000002
【特許請求の範囲】
【請求項１】
感圧シート上で筆記による署名が行なわれた場合に、前記感圧シートが出力する、押圧された位置と当該位置にかかった圧力とを特定する信号を取得する信号取得部と、
取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する検出部と、
検出された前記移動速度及び前記圧力を用いて、前記感圧シート上で筆記された前記署名が、予め登録された署名と一致しているかどうかを判定し、一致している場合に、認証を許可する認証処理部と、
を備えていることを特徴とする認証処理装置。
【請求項２】
前記感圧シートが、前記信号を設定された時間間隔で繰り返し出力し、更に前記信号のレベルが押圧によってかかった圧力に応じて変化する場合に、
前記検出部が、
連続する前記信号間での前記押圧された位置の移動距離を求め、求めた前記移動距離を、前記時間間隔で除算することによって、前記押圧された位置の移動速度を検出し、そして、
前記信号毎に、当該信号のレベルを圧力値に換算することによって、前記押圧された位置にかかった圧力を検出する、
請求項１に記載の認証処理装置。
【請求項３】
前記検出部が、前記信号毎に特定された前記押圧された位置それぞれを結ぶことによって、前記感圧シート上で筆記された前記署名の形状を検出し、
前記認証処理部が、検出された前記署名の形状を更に用いて、前記感圧シート上で筆記された前記署名が、予め登録された署名と一致しているかどうかを判定する、
請求項２に記載の認証処理装置。
【請求項４】
第１の画面上に、前記感圧シート上で筆記された前記署名を単一色で表示し、第２の画面上に、前記感圧シート上で筆記された前記署名を、検出された前記圧力に応じた複数の色で表示する、画像表示部を更に備えている、
請求項１〜３のいずれかに記載の認証処理装置。
【請求項５】
前記検出部が、前記信号毎に、前記押圧された位置を複数特定した場合に、
複数の前記押圧された位置のうち、前記圧力が最も高い位置を前記署名となる位置とし、前記署名となる位置の周辺の設定範囲外にある位置を、前記署名のための補助となる位置とし、
前記署名となる位置について前記移動速度及び前記圧力を検出し、更に、前記署名となる位置と前記署名のための補助となる位置との位置関係を検出し、
前記認証処理部が、検出された前記位置関係を更に用いて、前記感圧シート上で筆記された前記署名が、予め登録された署名と一致しているかどうかを判定する、
請求項１〜３のいずれかに記載の認証処理装置。
【請求項６】
第１の画面上に、前記感圧シート上で筆記された前記署名を表示し、第２の画面上に、前記感圧シート上で筆記された前記署名と、前記署名のための補助となる位置を表す画像とを表示する、画像表示部を更に備えている、
請求項４に記載の認証処理装置。
【請求項７】
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を有することを特徴とする認証処理方法。
【請求項８】
前記感圧シートが、前記信号を設定された時間間隔で繰り返し出力し、更に前記信号のレベルが押圧によってかかった圧力に応じて変化する場合に、
前記（ｂ）のステップにおいて、
連続する前記信号間での前記押圧された位置の移動距離を求め、求めた前記移動距離を、前記時間間隔で除算することによって、前記押圧された位置の移動速度を検出し、そして、
前記信号毎に、当該信号のレベルを圧力値に換算することによって、前記押圧された位置にかかった圧力を検出する、
請求項７に記載の認証処理方法。
【請求項９】
前記（ｂ）のステップにおいて、前記信号毎に特定された前記押圧された位置それぞれを結ぶことによって、前記感圧シート上で筆記された前記署名の形状を検出し、
前記（ｃ）のステップにおいて、検出された前記署名の形状を更に用いて、前記感圧シート上で筆記された前記署名が、予め登録された署名と一致しているかどうかを判定する、
請求項８に記載の認証処理方法。
【請求項１０】
（ｄ）第１の画面上に、前記感圧シート上で筆記された前記署名を単一色で表示し、第２の画面上に、前記感圧シート上で筆記された前記署名を、検出された前記圧力に応じた複数の色で表示する、ステップを更に有している、
請求項７〜９のいずれかに記載の認証処理方法。
【請求項１１】
前記（ｂ）のステップにおいて、前記信号毎に、前記押圧された位置を複数特定した場合に、
複数の前記押圧された位置のうち、前記圧力が最も高い位置を前記署名となる位置とし、前記署名となる位置の周辺の設定範囲外にある位置を、前記署名のための補助となる位置とし、
前記署名となる位置について前記移動速度及び前記圧力を検出し、更に、前記署名となる位置と前記署名のための補助となる位置との位置関係を検出し、
前記（ｃ）のステップにおいて、検出された前記位置関係を更に用いて、前記感圧シート上で筆記された前記署名が、予め登録された署名と一致しているかどうかを判定する、請求項７〜９のいずれかに記載の認証処理方法。
【請求項１２】
（ｅ）第１の画面上に、前記感圧シート上で筆記された前記署名を表示し、第２の画面上に、前記感圧シート上で筆記された前記署名と、前記署名のための補助となる位置を表す画像とを表示する、ステップを更に有している、
請求項１０に記載の認証処理方法。
【請求項１３】
コンピュータに、
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を実行させる命令を含む、プログラムを記録しているコンピュータ読み取り可能な記録媒体。
【請求項１４】
前記感圧シートが、前記信号を設定された時間間隔で繰り返し出力し、更に前記信号のレベルが押圧によってかかった圧力に応じて変化する場合に、
前記（ｂ）のステップにおいて、
連続する前記信号間での前記押圧された位置の移動距離を求め、求めた前記移動距離を、前記時間間隔で除算することによって、前記押圧された位置の移動速度を検出し、そして、
前記信号毎に、当該信号のレベルを圧力値に換算することによって、前記押圧された位置にかかった圧力を検出する、
請求項１３に記載のコンピュータ読み取り可能な記録媒体。
【請求項１５】
前記（ｂ）のステップにおいて、前記信号毎に特定された前記押圧された位置それぞれを結ぶことによって、前記感圧シート上で筆記された前記署名の形状を検出し、
前記（ｃ）のステップにおいて、検出された前記署名の形状を更に用いて、前記感圧シート上で筆記された前記署名が、予め登録された署名と一致しているかどうかを判定する、
請求項１４に記載のコンピュータ読み取り可能な記録媒体。
【請求項１６】
前記プログラムが、前記コンピュータに、
（ｄ）第１の画面上に、前記感圧シート上で筆記された前記署名を単一色で表示し、第２の画面上に、前記感圧シート上で筆記された前記署名を、検出された前記圧力に応じた複数の色で表示する、ステップを実行させる命令を更に含む、
請求項１３〜１５のいずれかに記載のコンピュータ読み取り可能な記録媒体。
【請求項１７】
前記（ｂ）のステップにおいて、前記信号毎に、前記押圧された位置を複数特定した場合に、
複数の前記押圧された位置のうち、前記圧力が最も高い位置を前記署名となる位置とし、前記署名となる位置の周辺の設定範囲外にある位置を、前記署名のための補助となる位置とし、
前記署名となる位置について前記移動速度及び前記圧力を検出し、更に、前記署名となる位置と前記署名のための補助となる位置との位置関係を検出し、
前記（ｃ）のステップにおいて、検出された前記位置関係を更に用いて、前記感圧シート上で筆記された前記署名が、予め登録された署名と一致しているかどうかを判定する、請求項１３〜１５のいずれかに記載のコンピュータ読み取り可能な記録媒体。
【請求項１８】
前記プログラムが、前記コンピュータに、
（ｅ）第１の画面上に、前記感圧シート上で筆記された前記署名を表示し、第２の画面上に、前記感圧シート上で筆記された前記署名と、前記署名のための補助となる位置を表す画像とを表示する、ステップを実行させる命令を更に含む、
請求項１６に記載のコンピュータ読み取り可能な記録媒体。
【発明の詳細な説明】
【技術分野】
【０００１】
本発明は、ユーザの自筆によるサインでの認証をデジタル処理によって実現するための、認証処理装置及び認証処理方法に関し、更には、これらを実現するためのプログラムを記録したコンピュータ読み取り可能な記録媒体に関する。
【背景技術】
【０００２】
従来より、直筆によるサインは、欧米をはじめとする世界の国々において、公的書類の承認印として利用されている。従って、コンピュータ上での取引においても、直筆によるサインが利用できるようになれば、種々の分野において利便性が向上すると考えられる。このため、例えば、特許文献１及び２は、コンピュータ上において、直筆のサインによる認証を実現するためのシステムを提案している。【０００３】
具体的には、特許文献１は、専用のペンと認証処理装置とを備える認証処理システムを開示している。特許文献１において、専用のペンは、ペン先を撮影するＣＣＤカメラと、筆圧を特定する圧力センサとを備えている。認証処理装置は、この専用のペンから、ＣＣＤカメラからの画像データと、圧力センサからの筆圧データとを取得し、取得したデータから、移動ベクトル、筆速、ペン保持傾斜角、黒／白ドット構成比、筆圧を検出する。そして、認証処理装置は、特定した各データと、予め登録されている基準データとを比較することによって、認証を実行する。【０００４】
また、特許文献２は、ユーザが直筆によって行なったサインをデジタル化し、デジタル化したサインを用いて認証処理を実行する、シグニチャーパッドを開示している。特許文献２に開示されたシグニチャーパッドは、平面状のパッド部と、光学式の位置検出装置とを備えている。位置検出装置は、パッド部の一方の端から他方の端に向けて光を照射する光源と、受光素子とを備えている。このため、シグニチャーパッドにおいては、ユーザがペンを用いてパッド部上で署名を行なうと、光源から出射された光はユーザのペンで反射され、反射光が受光素子で受光される。そして、シグニチャーパッドは、受光した光に基づいて、ペン先の移動軌跡、ペンの傾き、ペンの移動速度を検出し、検出した情報と、予め登録されているプロファイルデータとを用いて、認証を実行する。
【先行技術文献】
【特許文献】
【０００５】
【特許文献１】特開平１０−１１５７４号公報
【特許文献２】特開２０１２−２２０９７４号公報
【発明の概要】
【発明が解決しようとする課題】
【０００６】
しかしながら、特許文献１に開示された認証処理システムでは、ＣＣＤカメラは、撮像方向がペン先となるように、ペンに取り付けられており、ペンと一緒に移動する。また、ＣＣＤカメラの撮影範囲は、ペン先の周辺の狭い範囲である。このため、ＣＣＤカメラからの画像データから、移動ベクトル、筆速、ペン保持傾斜角、黒／白ドット構成比といった情報を正確に検出することは難しく、特許文献１に開示された認証処理システムには、認証精度が低いという問題がある。【０００７】
また、特許文献２に開示されたシグニチャーパッドでは、光源と受光素子とは一組しかなく、これらによって、ペン先の移動軌跡、ペンの傾き、ペンの移動速度を正確に検出することも困難である。従って、特許文献２に開示されたシグニチャーパッドにも、認証精度が低いという問題がある。【０００８】
本発明の目的の一例は、上記問題を解消し、自筆のサインをデジタル処理によって認証する際における認証精度の向上を図り得る、認証処理装置、認証処理方法、及びコンピュータ読み取り可能な記録媒体を提供することにある。
【課題を解決するための手段】
【０００９】
上記目的を達成するため、本発明の一側面における認証処理装置は、
感圧シート上で筆記による署名が行なわれた場合に、前記感圧シートが出力する、押圧された位置と当該位置にかかった圧力とを特定する信号を取得する信号取得部と、
取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する検出部と、
検出された前記移動速度及び前記圧力を用いて、前記感圧シート上で筆記された前記署名が、予め登録された署名と一致しているかどうかを判定し、一致している場合に、認証を許可する認証処理部と、
を備えていることを特徴とする。【００１０】
また、上記目的を達成するため、本発明の一側面における認証処理方法は、
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を有することを特徴とする。【００１１】
更に、上記目的を達成するため、本発明の一側面におけるコンピュータ読み取り可能な記録媒体は、
コンピュータに、
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を実行させる命令を含む、プログラムを記録していることを特徴とする。
【発明の効果】
【００１２】
以上のように、本発明によれば、自筆のサインをデジタル処理によって認証する際における認証精度の向上を図ることができる。
【図面の簡単な説明】
【００１３】
【図１】図１は、本発明の実施の形態における認証処理装置の概略構成を示すブロック図である。
【図２】図２は、本発明の実施の形態で用いられる感圧シートの構成を示す断面図である。
【図３】図３は、本発明の実施の形態における認証処理装置の構成を具体的に示すブロック図である。
【図４】図４は、本発明の実施の形態において署名データベースに登録されている署名の一例を示す図である。
【図５】図５は、本発明の実施の形態における認証処理装置の動作を示すフロー図である。
【図６】図６は、本発明の実施の形態における認証処理装置を実現するコンピュータの一例を示すブロック図である。
【発明を実施するための形態】
【００１４】
（実施の形態）
以下、本発明の実施の形態における、認証処理装置、認証処理方法、及びプログラムについて、図１〜図６を参照しながら説明する。
【００１５】
［装置構成］
最初に、図１を用いて本実施の形態における認証処理装置の概略構成について説明する。図１は、本発明の実施の形態における認証処理装置の概略構成を示すブロック図である。
【００１６】
図１に示すように、本実施の形態における認証処理装置１０は、信号取得部１１と、検出部１２と、認証処理部１３とを備えている。また、認証処理装置１０は、感圧シート２０に接続されている。
【００１７】
また、感圧シート２０は、本実施の形態では、押圧を受けた場合に、押圧を受けた位置と押圧によってかかった圧力とを特定する信号を出力するように構成されている。従って、感圧シート２０上で、筆記による署名が行なわれると、感圧シート２０は、筆記によって押圧された位置とその位置にかかった圧力とを特定する信号（以下、「署名特定信号」と表記する）を出力する。なお、図１において、２１は筆記用具である。
【００１８】
信号取得部１１は、感圧シート２０が署名特定信号を出力すると、これを取得する。検出部１２は、取得された署名特定信号に基づいて、署名によって押圧された位置を特定し、筆記の開始から終了までにおいて、特定した押圧された位置の移動速度と、特定した押圧された位置にかかった圧力とを、少なくとも検出する。
【００１９】
認証処理部１３は、検出された移動速度及び圧力を用いて、感圧シート２０上で筆記された署名が、予め登録された署名と一致しているかどうかを判定する。判定の結果、一致している場合は、認証処理部１３は、認証を許可する。
【００２０】
このように、本実施の形態では、感圧シート２０を用いることによって、筆記によって署名する際の個人の特徴が詳細に特定される。よって、本実施の形態によれば、自筆のサインをデジタル処理によって認証する際における認証精度の向上を図ることができる。
【００２１】
続いて、図２及び図３を用いて、本実施の形態における認証処理装置の構成についてより具体的に説明する。図２は、本発明の実施の形態で用いられる感圧シートの構成を示す断面図である。図３は、本発明の実施の形態における認証処理装置の構成を具体的に示すブロック図である。
【００２２】
図２に示すように、本実施の形態において感圧シート２０は、薄膜トランジスタ２０３がアレイ状に配置された第１の基板２０１と、第２の基板２０２と、感圧ゴム層２１２とを備え、感圧ゴム層２１２は、第１の基板２０１と第２の基板２０２との間に挟み込まれている。
【００２３】
具体的には、薄膜トランジスタ２０３は、第１の基板２０１上に設けられたゲート電極２０４と、ゲート電極２０４を被覆するゲート絶縁膜２０７と、ドレイン電極２０５と、ソース電極２０６と、半導体層２０８とを備えている。また、ドレイン電極２０５及びソース電極２０６は、ゲート絶縁膜２０７上に形成され、更に、ドレイン電極２０５とソース電極２０６との間には、半導体層２０８が形成されている。
【００２４】
また、第１の基板２０１上には、薄膜トランジスタ２０３を被覆するように絶縁性の保護膜２１１が設けられ、更に、保護膜２１１上には、各薄膜トランジスタ２０３に対応するアレイ電極２１０が設けられている。アレイ電極２１０は、保護膜２１１上を貫通するビア電極２０９によって、ソース電極２０６と導通している。また、アレイ電極２１０は、感圧ゴム層２１２に接触している。
【００２５】
感圧ゴム層２１２は、ゴム材料で形成された基材中に導電性の粒子２１２ａを分散させることによって形成されている。また、第２の基板２０２の感圧ゴム層２１２側の面には、共通電極２１３が設けられている。従って、感圧シート２０の任意の箇所で押圧が行なわれると、第２の基板２０２及び共通電極２１３が撓み、それによって感圧ゴム層２１２の対応箇所が圧縮される。その結果、感圧ゴム層２１２の押圧を受けた部分では、分散していた粒子２１２ａ同士が接触し合い、共通電極２１３とアレイ電極２１０とは、接触し合う粒子２１２ａを介して導通する。
【００２６】
また、感圧シート２０では、共通電極２１３と、ゲート電極２０４とには、電圧が印加されているので、共通電極２１３とアレイ電極２１０とが粒子２１２ａを介して導通すると、ドレイン電極２０５に電流が流れる。ドレイン電極２０５に流れる電流の値は、接触し合う粒子２１２ａの量が大きくなる程、即ち、押圧によってかかった圧力が大きい程、大きくなる。
【００２７】
その後、感圧シート２０は、電流が流れたドレイン電極２０５の位置を示し、且つ、押圧によってかかった圧力に応じてレベルが変化する信号を出力する。感圧シート２０上で署名が行なわれた場合は、この信号が署名特定信号となる。また、感圧シート２０は、ゲート電極２０４に一定のタイミングで電圧を印加することで、署名特定信号を、設定された時間間隔で繰り返し出力する。
【００２８】
また、図３に示すように、本実施の形態では、認証処理装置１０は、信号取得部１１、検出部１２、及び認証処理部１３に加えて、署名が予め登録されている署名データベース１４と、画像表示部１５とを備えている。また、認証処理装置１０には、管理者３１に情報を提示するための表示装置３０と、署名を行なうユーザ２２に情報を提示するための表示装置２３とが接続されている。
【００２９】
本実施の形態では、信号取得部１１は、署名の開始から終了までの間、感圧シート２０から、設定された時間間隔で繰り返し出力されている、署名特定信号を取得する。また、感圧シート２０が出力した署名特定信号がアナログ信号である場合は、信号取得部１１は、署名特定信号を取得すると、これをデジタル信号に変換し、得られたデジタル信号を検出部１２に出力する。
【００３０】
検出部１２は、本実施の形態では、署名の開始から終了までの間に出力されてきた署名特定信号のうち、連続して出力されてきた２つの署名特定信号毎に、連続する署名特定信号間での押圧された位置の移動距離を求める。そして、検出部１２は、連続して出力されてきた２つの署名特定信号毎に、求めた移動距離を、設定された時間間隔で除算することによって、押圧された位置の移動速度を検出する。
【００３１】
更に、検出部１２は、署名特定信号毎に、各署名特定信号のレベルを圧力値に換算することによって、署名の際に押圧された位置にかかった圧力を検出する。また、検出部１２は、本実施の形態では、署名特定信号毎に特定された位置それぞれを結ぶことによって、感圧シート２０上で筆記された署名の形状を検出する。
【００３２】
認証処理部１３は、本実施の形態では、検出部１２で検出された移動速度及び圧力に加えて、同じく検出された署名の形状を用いて、感圧シート２０上で筆記された署名が、予め登録された署名と一致しているかどうかを判定することもできる。
【００３３】
具体的には、認証処理部１３は、まず、署名データベース１４に登録されている各ユーザの署名データを取得する。署名データは、図４に示すように、署名の開始から終了までにおいて検出された、圧力Ｐ１〜Ｐｎ、移動速度Ｖ１〜Ｖｎ−１及び、形状で構成されている。図４は、本発明の実施の形態において署名データベースに登録されている署名の一例を示す図である。なお、ｎは自然数であり、署名の開始から終了までに出力された署名特定信号の個数に相当する。また、ｎの値はユーザ毎に異なっていても良い。
【００３４】
次に、認証処理部１３は、署名の開始から終了までに検出部１２によって検出された圧力及び移動速度を、各ユーザの署名データに照合して、ユーザ毎に一致している確率を算出する。
【００３５】
その後、認証処理部１３は、算出した確率が閾値以上のユーザの署名の形状と、検出部１２によって検出された署名の形状とを比較して、類似度合を算出し、算出された類似度合が一定値以上となったユーザが存在するかどうかを判定する。
【００３６】
また、判定の結果、類似度合が一定値以上となったユーザが存在する場合は、認証処理部１３は、筆記された署名は、予め登録された署名と一致していると判断し、認証を許可する。一方、算出した確率が閾値以上のユーザが存在しない場合、又は類似度合が一定値以上となったユーザが存在しない場合は、認証処理部１３は、筆記された署名は、予め登録された署名と一致していないと判断し、認証を許可しない。
【００３７】
画像表示部１５は、表示装置２３の画面上には、感圧シート２０上で筆記された署名を単一色で表示する。更に、画像表示部１５は、表示装置３０の画面上には、感圧シート２０上で筆記された署名を、検出された圧力に応じた複数の色で表示する。
【００３８】
つまり、画像表示部１５は、署名を行なうユーザ２２に対しては、表示装置２３によって、自身が筆記した署名を単一色で表示し、管理者３１に対しては、表示装置３０によって、筆記された署名を圧力に応じた色付きで表示する。このため、管理者３１は、ユーザ２２に、自身の署名を確認させながら、その署名に不自然な点がないかを判断できる。また、ユーザ２２に対しては、署名は単一色で表示されるため、認証処理装置１０における判断基準の漏洩を抑制することができる。
【００３９】
［装置動作］
次に、本実施の形態における認証処理装置１０の動作について図５を用いて説明する。図５は、本発明の実施の形態における認証処理装置の動作を示すフロー図である。以下の説明においては、適宜図１〜図４を参酌する。また、本実施の形態では、認証処理装置１０を動作させることによって、認証処理方法が実施される。よって、本実施の形態における認証処理方法の説明は、以下の認証処理装置１０の動作説明に代える。
【００４０】
図５に示すように、最初に、信号取得部１１は、ユーザ２２による感圧シート２０上での筆記による署名の開始から終了までの間、感圧シート２０が連続して出力してきた署名特定信号を取得する（ステップＡ１）。
【００４１】
次に、検出部１２は、ステップＡ１で取得された署名特定信号を用いて、連続して出力されてきた２つの署名特定信号毎に、押圧された位置の移動距離を求め、更に、求めた移動距離を、設定された時間間隔で除算して、押圧された位置の移動速度を検出する（ステップＡ２）。
【００４２】
次に、検出部１２は、署名特定信号毎に、各署名特定信号のレベルを圧力値に換算することによって、署名の際に押圧された位置にかかった圧力を検出する（ステップＡ３）。続いて、検出部１２は、署名特定信号毎に特定された位置それぞれを結ぶことによって、感圧シート２０上で筆記された署名の形状を検出する（ステップＡ４）。
【００４３】
次に、認証処理部１３は、ステップＡ２〜Ａ４で検出された移動速度、圧力、及び形状を用いて、感圧シート２０上で筆記された署名と、署名データベース１４に予め登録されている署名とを比較する（ステップＡ５）。また、ステップＡ５の実行時において、画像表示部１５は、表示装置２３の画面上には署名を単一色で表示し、表示装置３０の画面上には署名を複数の色で表示する。
【００４４】
そして、認証処理部１３は、ステップＡ５における比較の結果に基づいて、感圧シート２０上で筆記された署名と、予め登録されている署名とが一致しているかどうかを判定する（ステップＡ６）。
【００４５】
ステップＡ６の判定の結果、比較対象となった２つの署名が一致している場合は、認証処理部１３は、署名を行なったユーザ２２の認証を許可する（ステップＡ７）。一方、ステップＡ６の判定の結果、比較対象となった２つの署名が一致していない場合は、認証処理部１３は、署名を行なったユーザ２２の認証を不許可とする（ステップＡ８）。
【００４６】
［実施の形態における効果］
以上のように、本実施の形態では、署名時にかかった圧力、署名によって押圧のかかった部分の移動速度、及び署名の形状の３つが検出され、検出されたデータに基づいて、筆記された署名が登録済の署名と一致しているかどうかが判定される。従って、本実施の形態では、認証精度の向上が図られ、第三者が、他人の署名の形を真似ただけでは、認証は許可されない。このため、認証における安全性が高められることになる。
【００４７】
［変形例］
また、本実施の形態では、感圧シート２０上の筆記された部分だけでなく、ユーザ２２の体の感圧シート２０に接触している部分も用いて、認証を行なうことができる。即ち、通常、人は、筆記を行なう際に、手又は手首を接地させるが、このとき、感圧シート２０から出力される署名特定信号は、手又は手首によって押圧された位置及びその位置での圧力も特定する。この場合、検出部１２は、署名特定信号毎に、押圧された位置を複数特定することになる。
【００４８】
従って、本変形例では、検出部１２は、特定された複数の押圧された位置のうち、圧力が最も高い位置を署名となる位置とし、署名となる位置の周辺の設定範囲外にある位置を、署名のための補助となる位置（以下「署名補助位置」と表記する。）とする。そして、検出部１２は、署名となる位置について移動速度及び圧力を検出し、更に、署名となる位置と署名補助位置との位置関係を検出する。
【００４９】
また、本変形例では、署名データベース１４は、署名毎に、上述の位置関係も登録している。よって、認証処理部１３は、検出された位置関係を更に用いて、感圧シート上で筆記された署名が、予め登録された署名と一致しているかどうかを判定することができる。例えば、検出した署名と署名補助位置との位置関係が、予め登録された署名と署名補助位置との位置関係と一致しているかが判定されてもよい。または、検出した署名補助位置の面積及び圧力が、予め登録されている署名補助位置の面積及び圧力と一致しているかどうかが判定されてもよい。本変形例によれば、よりいっそう認証精度の向上が図られることになる。
【００５０】
また、本変形例では、画像表示部１５は、表示装置２３の画面上には、感圧シート上で筆記された署名を表示し、表示装置３０の画面上には、感圧シート上で筆記された署名と、署名補助位置を表す画像とを表示することができる。この場合、管理者３１は、署名補助位置の確認によっても、ユーザ２２による署名に不自然な点がないかを判断できる。例えば、手又は手首の接地が無い場合には、管理者３１は不自然な署名であると判断してもよい。
【００５１】
［プログラム］
本実施の形態におけるプログラムは、コンピュータに、図５に示すステップＡ１〜Ａ８を実行させるプログラムであれば良い。このプログラムをコンピュータにインストールし、実行することによって、本実施の形態における認証処理装置１０と認証処理方法とを実現することができる。この場合、コンピュータのプロセッサは、信号取得部１１、検出部１２、認証処理部１３、及び画像表示部１５として機能し、処理を行なう。
【００５２】
また、本実施の形態では、署名データベース１４は、コンピュータに備えられたハードディスク等の記憶装置に、これらを構成するデータファイルを格納することによって、又はこのデータファイルが格納された記録媒体をコンピュータと接続された読取装置に搭載することによって実現できる。
【００５３】
また、本実施の形態におけるプログラムは、複数のコンピュータによって構築されたコンピュータシステムによって実行されても良い。この場合は、例えば、各コンピュータが、それぞれ、信号取得部１１、検出部１２、認証処理部１３、及び画像表示部１５のいずれかとして機能しても良い。また、署名データベース１４は、本実施の形態におけるプログラムを実行するコンピュータとは別のコンピュータ上に構築されていても良い。
【００５４】
ここで、本実施の形態におけるプログラムを実行することによって、認証処理装置１０を実現するコンピュータについて図６を用いて説明する。図６は、本発明の実施の形態における認証処理装置を実現するコンピュータの一例を示すブロック図である。
【００５５】
図６に示すように、コンピュータ１１０は、ＣＰＵ（CentralProcessing Unit）１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。なお、コンピュータ１１０は、ＣＰＵ１１１に加えて、又はＣＰＵ１１１に代えて、ＧＰＵ（GraphicsProcessing Unit）、又はＦＰＧＡ（Field-Programmable Gate Array）を備えていても良い。
【００５６】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００５７】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５８】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５９】
また、記録媒体１２０の具体例としては、ＣＦ（CompactFlash（登録商標））及びＳＤ（Secure Digital）等の汎用的な半導体記憶デバイス、フレキシブルディスク（Flexible Disk）等の磁気記録媒体、又はＣＤ−ＲＯＭ（Compact DiskRead Only Memory）などの光学記録媒体が挙げられる。
【００６０】
なお、本実施の形態における認証処理装置１０は、プログラムがインストールされたコンピュータではなく、各部に対応したハードウェアを用いることによっても実現可能である。更に、認証処理装置１０は、一部がプログラムで実現され、残りの部分がハードウェアで実現されていてもよい。
【００６１】
上述した実施の形態の一部又は全部は、以下に記載する（付記１）〜（付記１８）によって表現することができるが、以下の記載に限定されるものではない。
【００６２】
（付記１）
感圧シート上で筆記による署名が行なわれた場合に、前記感圧シートが出力する、押圧された位置と当該位置にかかった圧力とを特定する信号を取得する信号取得部と、
取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する検出部と、
検出された前記移動速度及び前記圧力を用いて、前記感圧シート上で筆記された前記署名が、予め登録された署名と一致しているかどうかを判定し、一致している場合に、認証を許可する認証処理部と、
を備えていることを特徴とする認証処理装置。
【００６３】
（付記２）
前記感圧シートが、前記信号を設定された時間間隔で繰り返し出力し、更に前記信号のレベルが押圧によってかかった圧力に応じて変化する場合に、
前記検出部が、
連続する前記信号間での前記押圧された位置の移動距離を求め、求めた前記移動距離を、前記時間間隔で除算することによって、前記押圧された位置の移動速度を検出し、そして、
前記信号毎に、当該信号のレベルを圧力値に換算することによって、前記押圧された位置にかかった圧力を検出する、
付記１に記載の認証処理装置。
【００６４】
（付記３）
前記検出部が、前記信号毎に特定された前記押圧された位置それぞれを結ぶことによって、前記感圧シート上で筆記された前記署名の形状を検出し、
前記認証処理部が、検出された前記署名の形状を更に用いて、前記感圧シート上で筆記された前記署名が、予め登録された署名と一致しているかどうかを判定する、
付記２に記載の認証処理装置。
【００６５】
（付記４）
第１の画面上に、前記感圧シート上で筆記された前記署名を単一色で表示し、第２の画面上に、前記感圧シート上で筆記された前記署名を、検出された前記圧力に応じた複数の色で表示する、画像表示部を更に備えている、
付記１〜３のいずれかに記載の認証処理装置。
【００６６】
（付記５）
前記検出部が、前記信号毎に、前記押圧された位置を複数特定した場合に、
複数の前記押圧された位置のうち、前記圧力が最も高い位置を前記署名となる位置とし、前記署名となる位置の周辺の設定範囲外にある位置を、前記署名のための補助となる位置とし、
前記署名となる位置について前記移動速度及び前記圧力を検出し、更に、前記署名となる位置と前記署名のための補助となる位置との位置関係を検出し、
前記認証処理部が、検出された前記位置関係を更に用いて、前記感圧シート上で筆記された前記署名が、予め登録された署名と一致しているかどうかを判定する、
付記１〜３のいずれかに記載の認証処理装置。
【００６７】
（付記６）
第１の画面上に、前記感圧シート上で筆記された前記署名を表示し、第２の画面上に、前記感圧シート上で筆記された前記署名と、前記署名のための補助となる位置を表す画像とを表示する、画像表示部を更に備えている、
付記４に記載の認証処理装置。
【００６８】
（付記７）
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を有することを特徴とする認証処理方法。
【００６９】
（付記８）
前記感圧シートが、前記信号を設定された時間間隔で繰り返し出力し、更に前記信号のレベルが押圧によってかかった圧力に応じて変化する場合に、
前記（ｂ）のステップにおいて、
連続する前記信号間での前記押圧された位置の移動距離を求め、求めた前記移動距離を、前記時間間隔で除算することによって、前記押圧された位置の移動速度を検出し、そして、
前記信号毎に、当該信号のレベルを圧力値に換算することによって、前記押圧された位置にかかった圧力を検出する、
付記７に記載の認証処理方法。
【００７０】
（付記９）
前記（ｂ）のステップにおいて、前記信号毎に特定された前記押圧された位置それぞれを結ぶことによって、前記感圧シート上で筆記された前記署名の形状を検出し、
前記（ｃ）のステップにおいて、検出された前記署名の形状を更に用いて、前記感圧シート上で筆記された前記署名が、予め登録された署名と一致しているかどうかを判定する、
付記８に記載の認証処理方法。
【００７１】
（付記１０）
（ｄ）第１の画面上に、前記感圧シート上で筆記された前記署名を単一色で表示し、第２の画面上に、前記感圧シート上で筆記された前記署名を、検出された前記圧力に応じた複数の色で表示する、ステップを更に有している、
付記７〜９のいずれかに記載の認証処理方法。
【００７２】
（付記１１）
前記（ｂ）のステップにおいて、前記信号毎に、前記押圧された位置を複数特定した場合に、
複数の前記押圧された位置のうち、前記圧力が最も高い位置を前記署名となる位置とし、前記署名となる位置の周辺の設定範囲外にある位置を、前記署名のための補助となる位置とし、
前記署名となる位置について前記移動速度及び前記圧力を検出し、更に、前記署名となる位置と前記署名のための補助となる位置との位置関係を検出し、
前記（ｃ）のステップにおいて、検出された前記位置関係を更に用いて、前記感圧シート上で筆記された前記署名が、予め登録された署名と一致しているかどうかを判定する、付記７〜９のいずれかに記載の認証処理方法。
【００７３】
（付記１２）
（ｅ）第１の画面上に、前記感圧シート上で筆記された前記署名を表示し、第２の画面上に、前記感圧シート上で筆記された前記署名と、前記署名のための補助となる位置を表す画像とを表示する、ステップを更に有している、
付記１０に記載の認証処理方法。
【００７４】
（付記１３）
コンピュータに、
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を実行させる命令を含む、プログラムを記録しているコンピュータ読み取り可能な記録媒体。
【００７５】
（付記１４）
前記感圧シートが、前記信号を設定された時間間隔で繰り返し出力し、更に前記信号のレベルが押圧によってかかった圧力に応じて変化する場合に、
前記（ｂ）のステップにおいて、
連続する前記信号間での前記押圧された位置の移動距離を求め、求めた前記移動距離を、前記時間間隔で除算することによって、前記押圧された位置の移動速度を検出し、そして、
前記信号毎に、当該信号のレベルを圧力値に換算することによって、前記押圧された位置にかかった圧力を検出する、
付記１３に記載のコンピュータ読み取り可能な記録媒体。
【００７６】
（付記１５）
前記（ｂ）のステップにおいて、前記信号毎に特定された前記押圧された位置それぞれを結ぶことによって、前記感圧シート上で筆記された前記署名の形状を検出し、
前記（ｃ）のステップにおいて、検出された前記署名の形状を更に用いて、前記感圧シート上で筆記された前記署名が、予め登録された署名と一致しているかどうかを判定する、
付記１４に記載のコンピュータ読み取り可能な記録媒体。
【００７７】
（付記１６）
前記プログラムが、前記コンピュータに、
（ｄ）第１の画面上に、前記感圧シート上で筆記された前記署名を単一色で表示し、第２の画面上に、前記感圧シート上で筆記された前記署名を、検出された前記圧力に応じた複数の色で表示する、ステップを実行させる命令を更に含む、
付記１３〜１５のいずれかに記載のコンピュータ読み取り可能な記録媒体。
【００７８】
（付記１７）
前記（ｂ）のステップにおいて、前記信号毎に、前記押圧された位置を複数特定した場合に、
複数の前記押圧された位置のうち、前記圧力が最も高い位置を前記署名となる位置とし、前記署名となる位置の周辺の設定範囲外にある位置を、前記署名のための補助となる位置とし、
前記署名となる位置について前記移動速度及び前記圧力を検出し、更に、前記署名となる位置と前記署名のための補助となる位置との位置関係を検出し、
前記（ｃ）のステップにおいて、検出された前記位置関係を更に用いて、前記感圧シート上で筆記された前記署名が、予め登録された署名と一致しているかどうかを判定する、付記１３〜１５のいずれかに記載のコンピュータ読み取り可能な記録媒体。
【００７９】
（付記１８）
前記プログラムが、前記コンピュータに、
（ｅ）第１の画面上に、前記感圧シート上で筆記された前記署名を表示し、第２の画面上に、前記感圧シート上で筆記された前記署名と、前記署名のための補助となる位置を表す画像とを表示する、ステップを実行させる命令を更に含む、
付記１６に記載のコンピュータ読み取り可能な記録媒体。
【００８０】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００８１】
この出願は、２０１７年２月２１日に出願された日本出願特願２０１７−０３０３５３を基礎とする優先権を主張し、その開示の全てをここに取り込む。
【産業上の利用可能性】
【００８２】
以上のように、本発明によれば、自筆のサインをデジタル処理によって認証する際における認証精度の向上を図ることができる。本発明は、認証処理が必要となるあらゆる分野において有用である。
【符号の説明】
【００８３】
１０  認証処理装置
１１  信号取得部
１２  検出部
１３  認証処理部
１４  署名データベース
１５  画像表示部
２０  感圧シート
２１  筆記用具
２２  ユーザ
２３  表示装置
３０  表示装置
３１  管理者
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
２０１  第１の基板
２０２  第２の基板
２０３  薄膜トランジスタ
２０４  ゲート電極
２０５  ドレイン電極
２０６  ソース電極
２０７  ゲート絶縁膜
２０８  半導体層
２０９  ビア電極
２１０  アレイ電極
２１１  保護膜
２１２  感圧ゴム層
２１２ａ  導電性の粒子
２１３  共通電極
【図１】
2018155107.tif 000003
【図２】
2018155107.tif 000004
【図３】
2018155107.tif 000005
【図４】
2018155107.tif 000006
【図５】
2018155107.tif 000007
【図６】
2018155107.tif 000008
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
感圧シート上で筆記による署名が行なわれた場合に、前記感圧シートが出力する、押圧された位置と当該位置にかかった圧力とを特定する信号を取得する信号取得部と、
取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する検出部と、
検出された前記移動速度及び前記圧力を用いて、前記感圧シート上で筆記された前記署名が、予め登録された署名と一致しているかどうかを判定し、一致している場合に、認証を許可する認証処理部と、
を備えていることを特徴とする認証処理装置。
【請求項２】
前記感圧シートが、前記信号を設定された時間間隔で繰り返し出力し、更に前記信号のレベルが押圧によってかかった圧力に応じて変化する場合に、
前記検出部が、
連続する前記信号間での前記押圧された位置の移動距離を求め、求めた前記移動距離を、前記時間間隔で除算することによって、前記押圧された位置の移動速度を検出し、そして、
前記信号毎に、当該信号のレベルを圧力値に換算することによって、前記押圧された位置にかかった圧力を検出する、
請求項１に記載の認証処理装置。
【請求項３】
前記検出部が、前記信号毎に特定された前記押圧された位置それぞれを結ぶことによって、前記感圧シート上で筆記された前記署名の形状を検出し、
前記認証処理部が、検出された前記署名の形状を更に用いて、前記感圧シート上で筆記された前記署名が、予め登録された署名と一致しているかどうかを判定する、
請求項２に記載の認証処理装置。
【請求項４】
第１の画面上に、前記感圧シート上で筆記された前記署名を単一色で表示し、第２の画面上に、前記感圧シート上で筆記された前記署名を、検出された前記圧力に応じた複数の色で表示する、画像表示部を更に備えている、
請求項１〜３のいずれかに記載の認証処理装置。
【請求項５】
前記検出部が、前記信号毎に、前記押圧された位置を複数特定した場合に、
複数の前記押圧された位置のうち、前記圧力が最も高い位置を前記署名となる位置とし、前記署名となる位置の周辺の設定範囲外にある位置を、前記署名のための補助となる位置とし、
前記署名となる位置について前記移動速度及び前記圧力を検出し、更に、前記署名となる位置と前記署名のための補助となる位置との位置関係を検出し、
前記認証処理部が、検出された前記位置関係を更に用いて、前記感圧シート上で筆記された前記署名が、予め登録された署名と一致しているかどうかを判定する、
請求項１〜３のいずれかに記載の認証処理装置。
【請求項６】
第１の画面上に、前記感圧シート上で筆記された前記署名を表示し、第２の画面上に、前記感圧シート上で筆記された前記署名と、前記署名のための補助となる位置を表す画像とを表示する、画像表示部を更に備えている、
請求項４に記載の認証処理装置。
【請求項７】
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を有することを特徴とする認証処理方法。
【請求項８】
コンピュータに、
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を実行させる、プログラム。
【手続補正３】
【補正対象書類名】明細書
【補正対象項目名】０００１
【補正方法】変更
【補正の内容】
【０００１】
本発明は、ユーザの自筆によるサインでの認証をデジタル処理によって実現するための、認証処理装置及び認証処理方法に関し、更には、これらを実現するためのプログラムに関する。
【手続補正４】
【補正対象書類名】明細書
【補正対象項目名】０００８
【補正方法】変更
【補正の内容】
【０００８】
本発明の目的の一例は、上記問題を解消し、自筆のサインをデジタル処理によって認証する際における認証精度の向上を図り得る、認証処理装置、認証処理方法、及びプログラムを提供することにある。
【手続補正５】
【補正対象書類名】明細書
【補正対象項目名】００１１
【補正方法】変更
【補正の内容】
【００１１】
更に、上記目的を達成するため、本発明の一側面におけるプログラムは、
コンピュータに、
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を実行させる、ことを特徴とする。
【手続補正６】
【補正対象書類名】明細書
【補正対象項目名】００７４
【補正方法】変更
【補正の内容】
【００７４】
（付記１３）
コンピュータに、
（ａ）感圧シート上で筆記による署名が行なわれた場合に、前記感圧シートが出力する、押圧された位置と当該位置にかかった圧力とを特定する信号を取得する、ステップと、
（ｂ）取得された前記信号に基づいて、前記押圧された位置を特定し、前記筆記の開始から終了までにおいて、特定した前記押圧された位置の移動速度と、特定した前記押圧された位置にかかった圧力とを、少なくとも検出する、ステップと、
（ｃ）検出された前記移動速度及び前記圧力を用いて、前記感圧シート上で筆記された前記署名が、予め登録された署名と一致しているかどうかを判定し、一致している場合に、認証を許可する、ステップと、
を実行させる、プログラム。
【手続補正７】
【補正対象書類名】明細書
【補正対象項目名】００７５
【補正方法】変更
【補正の内容】
【００７５】
（付記１４）
前記感圧シートが、前記信号を設定された時間間隔で繰り返し出力し、更に前記信号のレベルが押圧によってかかった圧力に応じて変化する場合に、
前記（ｂ）のステップにおいて、
連続する前記信号間での前記押圧された位置の移動距離を求め、求めた前記移動距離を、前記時間間隔で除算することによって、前記押圧された位置の移動速度を検出し、そして、
前記信号毎に、当該信号のレベルを圧力値に換算することによって、前記押圧された位置にかかった圧力を検出する、
付記１３に記載のプログラム。
【手続補正８】
【補正対象書類名】明細書
【補正対象項目名】００７６
【補正方法】変更
【補正の内容】
【００７６】
（付記１５）
前記（ｂ）のステップにおいて、前記信号毎に特定された前記押圧された位置それぞれを結ぶことによって、前記感圧シート上で筆記された前記署名の形状を検出し、
前記（ｃ）のステップにおいて、検出された前記署名の形状を更に用いて、前記感圧シート上で筆記された前記署名が、予め登録された署名と一致しているかどうかを判定する、
付記１４に記載のプログラム。
【手続補正９】
【補正対象書類名】明細書
【補正対象項目名】００７７
【補正方法】変更
【補正の内容】
【００７７】
（付記１６）
前記コンピュータに、
（ｄ）第１の画面上に、前記感圧シート上で筆記された前記署名を単一色で表示し、第２の画面上に、前記感圧シート上で筆記された前記署名を、検出された前記圧力に応じた複数の色で表示する、ステップを更に実行させる、
付記１３〜１５のいずれかに記載のプログラム。
【手続補正１０】
【補正対象書類名】明細書
【補正対象項目名】００７８
【補正方法】変更
【補正の内容】
【００７８】
（付記１７）
前記（ｂ）のステップにおいて、前記信号毎に、前記押圧された位置を複数特定した場合に、
複数の前記押圧された位置のうち、前記圧力が最も高い位置を前記署名となる位置とし、前記署名となる位置の周辺の設定範囲外にある位置を、前記署名のための補助となる位置とし、
前記署名となる位置について前記移動速度及び前記圧力を検出し、更に、前記署名となる位置と前記署名のための補助となる位置との位置関係を検出し、
前記（ｃ）のステップにおいて、検出された前記位置関係を更に用いて、前記感圧シート上で筆記された前記署名が、予め登録された署名と一致しているかどうかを判定する、付記１３〜１５のいずれかに記載のプログラム。
【手続補正１１】
【補正対象書類名】明細書
【補正対象項目名】００７９
【補正方法】変更
【補正の内容】
【００７９】
（付記１８）
前記コンピュータに、
（ｅ）第１の画面上に、前記感圧シート上で筆記された前記署名を表示し、第２の画面上に、前記感圧シート上で筆記された前記署名と、前記署名のための補助となる位置を表す画像とを表示する、ステップを更に実行させる、
付記１６に記載のプログラム。
【国際調査報告】
2018155107.tif 000009
2018155107.tif 000010
2018155107.tif 000011